(57)【要約】【課題】  本発明は、文書細断機等において細断された紙屑を収容するための袋であって、細断により帯電した紙屑が取り出し作業を行う人間の腕等にまとわりつく現象を抑制し、かつ、細断した紙屑を収容した状態で袋ごと紙の再溶解槽に投入可能な細断紙屑収容袋を提供することを主な目的とするものである。【解決手段】  文書細断機等において細断された紙屑を収容するための袋を、水溶性または吸水崩壊性を有し、かつ、帯電防止性を有する樹脂フィルムで構成し、袋体とすることにより、上記課題を解決する。【選択図】      図１
2015048187.tif 000002
【特許請求の範囲】
【請求項１】
細断された紙屑を収容するための袋であって、
水溶性または吸水崩壊性を有し、かつ、帯電防止性を有する樹脂フィルムを用いて袋体としたことを特徴とする細断紙屑収容袋。
【請求項２】
前記樹脂フィルムが、けん化度８０．０％〜９９．９％のポリビニルアルコール樹脂の単層フィルムであることを特徴とする請求項１に記載の細断紙屑収容袋。
【請求項３】
前記ポリビニルアルコール樹脂の温水溶解温度が６０℃以上であることを特徴とする請求項２に記載の細断紙屑収容袋。
【発明の詳細な説明】
【技術分野】
【０００１】
本発明は、文書細断機等によって細断された紙屑を、収容するための袋に関する。
【背景技術】
【０００２】
従来、企業において廃棄機密書類による情報流出防止のため、文書細断機が用いられているが、近年は、一般家庭においてもダイレクトメールや宅配便の伝票から個人情報が流出することを恐れて家庭用文書細断機が広く用いられている。
【０００３】
通常、文書細断機において、細断された紙屑は紙屑受け容器に落下するが、紙屑を処分する際に細かい紙片を極力飛散させないようにするため、一般的には、予め紙屑受け容器に、細断された紙屑を収容するための袋（以降、細断紙屑収容袋と称する）をセットしておき、前記袋が一杯になったら袋ごと紙屑受け容器から取り出して廃棄する方法が採られている。
【０００４】
この細断紙屑収容袋を取り出しやすくするため、文書細断機に前記袋の収納箱を備え付けた文書細断機用屑受け装置が提案されている（特許文献１参照）。
【０００５】
ここで、文書細断機の紙屑受け容器に細断紙屑収容袋をセットしておき、紙屑を袋ごと廃棄する方法は便利であるが、紙を細断すると紙屑同士が擦れて紙屑が帯電し、また、細断紙屑収容袋と紙屑が擦れて前記袋が帯電してしまい、前記袋を取り出す際に紙屑が袋内で浮遊して袋外に飛び出したり、取り出し作業を行う人間の腕に紙屑がまとわりついて、文書細断機の周囲を汚すという問題がある。更に、文書細断機の周囲に飛散した紙屑は文書細断機の周囲を歩く人間に蹴飛ばされたり、靴底に付着したりして周囲の広い範囲を汚してしまう。
【０００６】
このような問題を解決するため、イオン発生装置で帯電させた除電空気を細断屑の落下部に吹き付けることにより、細断屑等を除電する除電器付き文書細断機が提案されている（特許文献２参照）。
【０００７】
しかしながら、細断された紙屑は軽いため、除電空気を吹き付けると却って文書細断機内部で紙屑が飛散してしまう場合があること、除電装置が高価なため対費用効果が乏しいこと、除電装置は電極のメンテナンスが必要なこと、などの理由から普及するには至っていない。
【０００８】
また、文書細断機用の細断紙屑収容袋として、帯電防止剤を添加したポリエチレン樹脂製の袋が市販されているが、湿度が低いと帯電防止効果が失われる上に、元来、帯電防止効果が低いため、前記袋を取り出して袋の開口部を封じる際に紙屑が袋外に飛び出してしまう問題は解消できていない。
【０００９】
また、静電気を除去するために、可燃性スプレー式の静電気除去剤を用いて紙屑を除電する方法もあるが、文書細断機に使用する場合には、ＯＮ−ＯＦＦスイッチの切り替え接点の火花、静電気の火花、または、内部モーター整流子の火花等に引火して、火災や爆発を引き起こす事例があり、問題となっている。
【００１０】
また、従来の細断紙屑収容袋は、水に対して不溶性のポリエチレン樹脂フィルムから構成されているため、細断した紙屑を再生するために紙の再溶解槽に紙屑を投入する際には、前記袋を切り裂いて紙屑を取り出し、ポリエチレン樹脂フィルムと分離させる手間がかかっていた。
さらに、紙の再溶解槽に前記袋を切り裂いた際のポリエチレン樹脂フィルム断片が混入してしまうという不具合や、前記袋に付着して残った紙屑や紙の再溶解槽に投入時に飛散した紙屑が、周囲を汚すという問題もある。
【先行技術文献】
【特許文献】
【００１１】
【特許文献１】特開平３−２７８８４７号公報
【特許文献２】特開２００３−３８９６９号公報
【発明の概要】
【発明が解決しようとする課題】
【００１２】
本発明は、上記実情に鑑みてなされたものであり、細断により帯電した紙屑がまとわりつく現象を抑制し、かつ、細断した紙屑を収容した状態で袋ごと紙の再溶解槽に投入可能な細断紙屑収容袋を提供することを主な目的とする。
【課題を解決するための手段】
【００１３】
本発明の請求項１に係る発明は、細断された紙屑を収容するための袋であって、水溶性または吸水崩壊性を有し、かつ、帯電防止性を有する樹脂フィルムを用いて袋体としたことを特徴とする細断紙屑収容袋である。
【００１４】
また、本発明の請求項２に係る発明は、前記樹脂フィルムが、けん化度８０．０％〜９９．９％のポリビニルアルコール樹脂の単層フィルムであることを特徴とする請求項１に記載の細断紙屑収容袋である。
【００１５】
また、本発明の請求項３に係る発明は、前記ポリビニルアルコール樹脂の温水溶解温度が６０℃以上であることを特徴とする請求項２に記載の細断紙屑収容袋である。
【発明の効果】
【００１６】
本発明によれば、細断紙屑収容袋は帯電せず、細断紙屑収容袋に接した紙屑は除電される。それゆえ、本発明に係る細断紙屑収容袋を文書細断機等に用いることで、帯電した紙屑同士の電気的反発によって紙屑が浮遊する現象や、作業者の腕等に帯電した紙屑がまとわりつく現象を抑制することができる。また、紙屑を廃棄するために前記袋を取り出す際に、紙屑が文書細断機等の周囲に飛散することを抑制することができる。
【００１７】
また、本発明に係る細断紙屑収容袋を文書細断機等に用いることで、文書細断機等に新たな除電装置を設けることなく除電効果を得ることができる。更には、既に使用中の文書細断機等にも適用できる。
【００１８】
また、本発明に係る細断紙屑収容袋を構成する樹脂フィルムは、水溶性または吸水崩壊性を有するため、本発明に係る細断紙屑収容袋を用いて紙屑を収容した場合、古紙再生工場等において、袋ごと紙の再溶解槽に投入することができ、従来のような、袋を構成する樹脂フィルムを紙屑と分離する手間を省くことができ、作業効率が上がり、かつ、設備の周囲を紙屑で汚さずに済む。
【図面の簡単な説明】
【００１９】
【図１】本発明に係る細断紙屑収容袋の実施形態の一例を示す概略図である。
【発明を実施するための形態】
【００２０】
以下、本発明に係る細断紙屑収容袋について説明する。
本発明に係る細断紙屑収容袋は、細断された紙屑を収容するための袋であって、水溶性または吸水崩壊性を有し、かつ、帯電防止性を有する樹脂フィルムを用いて袋体としたことを特徴とする。
【００２１】
（細断紙屑収容袋の形態）
図１は、本発明に係る細断紙屑収容袋の実施形態の一例を示す概略図である。図１に示す細断紙屑収容袋１は、水溶性または吸水崩壊性を有し、かつ、帯電防止性を有する樹脂フィルム２から構成されており、樹脂フィルム２の所定の周縁端部にはヒートシール部３が形成されている。また、図面の上方には、紙屑を受け入れるための開口部４を有している。
なお、図１に示す例においては、樹脂フィルム２の所定の周縁端部をヒートシールして袋体を形成しているが、これに限らず、接着剤等を用いて袋体を形成してもよい。
【００２２】
本発明の細断紙屑収容袋の形態としては、細断された紙屑を収容することができるものであれば、特に限定する必要はなく、三方シール袋、二方シール袋、ピロー袋、封筒貼り袋、ガゼット袋、スタンドパック等の形態とすることができる。
中でも、展開すると立体的になるガゼット袋、スタンドパック等の形態は、文書細断機等に備えられた紙屑受け容器への収まりが良く、好適に用いることができる。
【００２３】
（樹脂フィルム）
本発明に係る細断紙屑収容袋に用いる樹脂フィルムは、水溶性または吸水崩壊性を有し、かつ、帯電防止性を有するものである。
上記の要件を満たす樹脂フィルムの材料としては、けん化度８０．０％〜９９．９％のポリビニルアルコール樹脂、または、その変性化物を用いることができる。また、上記のポリビニルアルコール樹脂には、必要に応じてエチレングリコール等の可塑剤、その他の添加剤を使用したものを用いても差し支えない。
なお、本明細書において、「けん化度」とは、ポリビニルアルコール樹脂中の酢酸基と水酸基の合計数に対する水酸基の百分率を指す。
【００２４】
本発明においては、袋ごと紙の再溶解槽に投入することができることを目的とするため、本発明に係る細断紙屑収容袋に用いる樹脂フィルムには、水に不溶な樹脂層を全面に積層することはしない。
それゆえ、本発明に係る細断紙屑収容袋に用いる樹脂フィルムは、上記のポリビニルアルコール樹脂の単層フィルムであることが好ましい。ただし、上記の樹脂フィルムの一部に、製品名等の印刷層が設けられることは許容される。
【００２５】
上記のポリビニルアルコール樹脂は、けん化度の調整等によって、冷水可溶性、温水可溶性、水不溶性とすることができ、例えば、冷水可溶性のポリビニルアルコール樹脂を用いた場合は、細断された紙屑を収納したまま紙の再溶解槽に投入しても容易にポリビニルアルコール樹脂が溶けて紙屑を自動的に取り出すことができる。
【００２６】
また、温水可溶性のポリビニルアルコール樹脂を用いた場合は、紙屑を収容した袋が雨に濡れても破れることが無く、運搬や保管状況を管理し難い場合に利用できて実用的である。例えば、本発明に係る細断紙屑収容袋を、雨水で溶解せず、紙の再溶解槽で溶解させるようにする場合には、温水溶解温度が６０℃以上のポリビニルアルコール樹脂を、樹脂フィルムに用いると良い。
【００２７】
なお、水不溶性のポリビニルアルコール樹脂を用いた場合も、水不溶性のポリビニルアルコール樹脂は吸水して崩壊する性質を有するので、本発明に係る細断紙屑収容袋として好適に用いることができる。
【００２８】
以上、本発明に係る細断紙屑収容袋について詳細を説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【００２９】
次に、実施例及び比較例により本発明を更に詳述する。
【００３０】
（実施例１）
（細断紙屑収容袋の製造）
１０００ｍｍ×５００ｍｍに切り取った、厚さ３０μｍの温水可溶性ポリビニルアルコール樹脂フィルム（製品名「ソルブロン（登録商標）ＭＡ」、アイセロ化学株式会社製）４枚から、ヒートシール幅５ｍｍのインパルスシーラーを用いて、折り込み幅２５０ｍｍ、長さ１０００ｍｍ、幅５００ｍｍのガゼット袋を製造し、本発明の細断紙屑収容袋を得た（図１参照）。
【００３１】
（実証試験）
上記のようにして得られた実施例１の細断紙屑収容袋を文書細断機（製品名「ＲＩＣＵＴ（登録商標）  ３１４３ＦＳ」、株式会社リコー製）の紙屑受け容器にセットし、文書細断を行った。細断中に文書細断機に「チップ満杯」表示が点灯して細断が停止したときは細断紙屑収容袋内の紙屑を手で圧縮して細断を再開し、「チップ満杯」表示が５回点灯した時点で細断を停止し、紙屑受け容器から細断紙屑収容袋を取り出して開口部を細断紙屑収容袋の対角する端同士で２回縛り、細断された紙屑を収容した本発明の細断紙屑収容袋を得た。
その結果、紙屑を手で圧縮する際、細断紙屑収容袋の紙屑が積もっていない箇所や手に紙屑は付着せず、文書細断機の前面扉を４回開閉して紙屑受け容器を引き出し、紙屑を圧縮したにも関わらず紙屑が文書細断機内外に飛散することもなかった。
また、紙屑は細断紙屑収容袋の中でまとまっていて、細断紙屑収容袋の開口部を縛る際に空気抜きをしても紙屑は飛散しなかった。
以上の試験から、本発明の細断紙屑収容袋を文書細断機に用いることによって、紙屑を１片も文書細断機周囲に飛散させることなく紙屑を処理できることが明らかとなり、本発明の細断紙屑収容袋は、細断により帯電した紙屑がまとわりつく現象を抑制する効果に優れていることを確認できた。
【００３２】
（帯電圧の測定）
上記の実証実験中に「チップ満杯」表示が５回点灯し、文書細断機の前面扉を開いた時に紙屑受け容器外面から実施例１の細断紙屑収容袋の耐電圧を、耐電圧測定器（製品名「静電電位測定器  ＫＳＤ−０１０３」、春日電機株式会社製）を用いて測定した結果、０．０ｋＶであった。
【００３３】
（比較例１）
（細断紙屑収容袋）
実施例１と同じ文書細断機に備え付けの、折り込み幅２００ｍｍ、長さ１０００ｍｍ、幅６００ｍｍの厚さ４０μｍの高密度ポリエチレン樹脂フィルム製ガゼット袋を比較例１の細断紙屑収容袋として用いた。
【００３４】
（実証試験）
実施例１と同じ文書細断機の紙屑受け容器に比較例１の細断紙屑収容袋をセットし、実施例１と同じ方法で、細断された紙屑を収容した比較例１の細断紙屑収容袋を得た。
その結果、紙屑を手で圧縮する際、手に紙屑がまとわり付くと共に、細断紙屑収容袋の内面に付着した紙屑が、紙屑受け容器を文書細断機に収納する際の空気の動きによって、文書細断機の前面床や文書細断機内部に数枚飛散した。また、文書細断機の前面扉を４回開閉して紙屑受け容器を引き出し、紙屑を圧縮した結果、文書細断機前面の床に紙屑が１０枚以上散らばってしまった。
また、最後に細断紙屑収容袋を取り出して開口部を縛る際、空気抜きをすると袋内部の空気と一緒に紙屑が数枚飛び出してきた。
【００３５】
（帯電圧の測定）
上記の実証実験中に「チップ満杯」表示が５回点灯し、文書細断機の前面扉を開いた時に紙屑受け容器外面から比較例１の細断紙屑収容袋の耐電圧を、耐電圧測定器（製品名「静電電位測定器  ＫＳＤ−０１０３」、春日電機株式会社製）を用いて測定した結果、−１．１ｋＶであった。
【符号の説明】
【００３６】
１・・・細断紙屑収容袋
２・・・樹脂フィルム
３・・・ヒートシール部
４・・・開口部
【図１】
2015048187.tif 000003